(57)【要約】【課題】接触検出部の検出結果に応じ、表示部の非接触領域に予め定められた条件に応じた最も広い面積で情報を表示することで、容易に画像のアスペクト比を変更することができる撮像装置を提供する。【解決手段】、カメラ筐体と、前記カメラ筐体に固定された表示部と、前記表示部に配置される接触検出部と、撮像素子と、を有する撮像装置において、前記接触検出部の検出結果に応じ、前記表示部の非接触領域にあらかじめ記録手段に記録された記録条件に応じたアスペクト比の中で最も広い面積で情報を表示できるアスペクト比を判断し、判断結果に応じて前記表示部に情報を表示させる。【選択図】図４
2019041234.tif 000002
【特許請求の範囲】
【請求項１】
カメラ筐体と、
前記カメラ筐体に固定された表示部と、
前記表示部に配置される接触検出部と、
撮像素子と、
を有する撮像装置において、
前記接触検出部の検出結果に応じ、前記表示部の非接触領域にあらかじめ記録手段に記録された記録条件に応じたアスペクト比の中で最も広い面積で情報を表示できるアスペクト比を判断し、判断結果に応じて前記表示部に情報を表示させることを特徴とする撮像装置。
【請求項２】
前記表示部に表示される情報は、撮影のための設定を変更する撮影条件変更メニュー、スルー画像、撮影済み画像であることを特徴とする請求項１に記載の撮像装置。
【請求項３】
前記判断結果に応じて前記表示部に情報を表示させる面積が、前記記録手段にあらかじめ記録された閾値に対し閾値以下となる場合は、前記閾値より小さい面積で情報を表示させず、閾値以上の面積を満足するために前記非接触領域の外にも情報を表示することを特徴とする請求項１又は２に記載の撮像装置。
【請求項４】
前記表示部に表示される情報は、前記記録手段に記録されている閾値より小さい面積で情報を表示させず、かつ前記接触検出部にて検出された検出部と前記情報を表示する領域の係り量が最小になるアスペクト比を判断し、前記判断結果に応じて前記表示部に情報を表示させることを特徴とする請求項３に記載の撮像装置。
【発明の詳細な説明】
【技術分野】
【０００１】
本発明は、撮像装置に関し、特に撮像装置の操作に関するものである。
【背景技術】
【０００２】
従来、撮影画像のアスペクト比を反転させる際には（例えばアスペクト比の比率を「４：３」から「３：４」へ変更）、カメラ姿勢を９０°回転させる必要があった。また、撮影画像のアスペクト比を「４：３」から「１６：９」へ変更させる場合には、撮像装置の撮影モード設定メニューより撮影者が選択する必要があった。 
【０００３】
特許文献１では、アスペクト比の変更手段として、表示画面に設けられたタッチ操作部材上で移動操作を行うことで画像表示領域を伸縮させ、アスペクト比を設定する操作が開示されている。
【先行技術文献】
【特許文献】
【０００４】
【特許文献１】特開２０１１−４２２０号公報
【発明の概要】
【発明が解決しようとする課題】
【０００５】
しかしながら、上述の特許文献１に開示された従来技術では、アスペクト比を変更するためには撮影者が撮影前にタッチ操作部材を操作する必要があり、手間が生じてしまう。
【０００６】
そこで、本発明の目的は、接触検出部の検出結果に応じ、表示部の非接触領域に予め定められた条件に応じた最も広い面積で情報を表示することで、容易に画像のアスペクト比を変更することができる撮像装置を提供することである。
【課題を解決するための手段】
【０００７】
上記目的を達成するために、本発明に係る撮像装置は、カメラ筐体と、前記カメラ筐体に固定された表示部と、前記表示部に配置される接触検出部と、撮像素子と、を有する撮像装置において、前記接触検出部の検出結果に応じ、前記表示部の非接触領域にあらかじめ記録手段に記録された記録条件に応じたアスペクト比の中で最も広い面積で情報を表示できるアスペクト比を判断し、判断結果に応じて前記表示部に情報を表示させることを特徴とする。
【発明の効果】
【０００８】
本発明によれば、接触検出部の検出結果に応じ、表示部の非接触領域に予め定められた条件に応じた最も広い面積で情報を表示することで、容易に画像のアスペクト比を変更することができる撮像装置を提供することができる。
【図面の簡単な説明】
【０００９】
【図１】第１の実施形態の撮像装置のブロック図である。
【図２】第１の実施形態の記録手段に記録される撮影モードに応じたアスペクト比設定の一例である。
【図３】第１の実施形態の撮像装置における処理を説明するフローチャートである。
【図４】第１の実施形態の表示部へのスルー画像の表示例を示す図である。
【図５】第１の実施形態の表示部へのアスペクト毎の表示画像面積を示す図である。
【図６】第２の実施形態の表示部への再生画像の表示例を示す図である。
【図７】第３の実施形態の表示部へのスルー画像の表示例を示す図である。
【発明を実施するための形態】
【００１０】
以下に、本発明の好ましい実施の形態を、添付の図面に基づいて詳細に説明する。
【００１１】
（第１の実施形態）
図１は、本発明の第１の実施形態に係る撮像装置のブロック図である。１はカメラ（カメラ筐体）である。１０１は撮像素子である。撮像素子１０１は、レンズ１０２より撮像面に結像された被写体像を撮像して画像信号を出力する。１０３はカメラ信号処理回路であり、撮像素子１０１の出力に対して所定の増幅やガンマー補正などを施す。１０４はカメラマイコンであり多数の信号を取り入れ、その信号処理を行う。また、入力信号に応じて多数の信号を出力する。１０５はカメラマイコン１０４で信号処理された画像信号や、記録条件などを記録する記録手段である。記録条件には撮影者が設定する撮影モードや撮影画像のアスペクト比が含まれる。撮影モードやアスペクト比の設定に関しては詳細を後述する。
【００１２】
表示部１０６はカメラ１の背面部に配置されており、電子ペーパ、液晶ディスプレイ、有機ＥＬディスプレイなどで構成されている。表示部１０６は、スルー画像や再生画像を表示する。また、各種メニューや撮影に関する各種情報、撮影条件変更メニューを表示する。１０７は、接触検出部であるタッチパネル操作部材である。タッチパネル操作部材１０７は、撮影者が表示部１０６の表示画面上に指をタッチして操作するタッチパネルスイッチである。タッチパネル操作部材１０７は、撮影者によってタッチ操作された場合にタッチパネル操作部材１０７のタッチ位置を示す信号を発生し、カメラマイコン１０４へ送出する。
【００１３】
撮影者はタッチパネル操作部材１０７を操作することにより、表示画面に表示されている各種の機能を操作することができる。操作部材１０８は、シャッターボタンの半押しスイッチ（ＳＷ１）および全押しスイッチ（ＳＷ２）、撮影モードセレクター、コマンドダイヤルなど、カメラ１を操作するためのスイッチ類である。
【００１４】
レンズ駆動装置１０９は、レンズ１０２内のフォーカシングレンズ(不図示)、ズーミングレンズ(不図示)、絞り(不図示)などをカメラマイコン１０４の指令により駆動するアクチュエーターである。
【００１５】
カメラマイコン１０４は、後述する撮影制御プログラムを実行して撮影者があらかじめ設定したアスペクト比を記録手段１０５から取り出す。そして、タッチパネル操作部材１０７の検出結果に応じ、表示部１０６に撮影者の指が係っていない範囲（非接触領域）を割り出す。そして、非接触領域に最も広い面積で表示可能なアスペクト比（アスペクト比反転も含む）を判断し、画像を表示する。
【００１６】
図２は、記録手段１０５に記録される撮影モードに応じたアスペクト比設定の一例である。本実施形態における撮影モードは、静止画モード・動画モードに分類される。静止画モードではハイビジョンテレビと同じアスペクト比である「１６：９」、一般的なテレビ画面やコンパクトデジタルカメラで主流の「４：３」、３５ｍｍフィルムカメラと同様の「３：２」があらかじめ用意されている。その他、撮影者の好みに応じて不図示の「１：１」などのアスペクト比を追加することも可能である。
【００１７】
動画モードでは「１６：９」、「４：３」のアスペクト比があらかじめ用意されている。記録手段１０５には、前記アスペクト比毎に指の係っていない非接触領域から、アスペクト比の反転によって表示画像面積が広くなる場合は、反転を許可（例えばアスペクト比の比率を「４：３」から「３：４」へ変更）するか否かを記録させることができる。
【００１８】
本実施形態において、静止画撮影モードに設定されている際は「４：３」と「３：２」のアスペクト比に設定されている際はアスペクト比反転を「する」と記録手段１０５に記録されている。そして、「１６：９」のアスペクト比に設定されている際はアスペクト比反転を「しない」と記録手段１０５に記録されている。したがって、カメラマイコン１０４は、指の係っていない非接触領域から、選択可能なアスペクト比の中（本実施形態では「１６：９」、「４：３」、「３：２」、「３：４」、「２：３」）で最も広い面積で画像を表示できるアスペクト比を判断し、表示部１０６に表示する。
【００１９】
動画撮影モードに設定されている際は、どのアスペクト比に設定されている際でもアスペクト比反転を「しない」と記録手段１０５に記録されている。したがって、カメラマイコン１０４は、指の係っていない非接触領域から、選択可能なアスペクト比の中（本実施形態では「１６：９」、「４：３」）で最も広い面積で画像を表示できるアスペクト比を判断し、表示部１０６に表示する。
【００２０】
図３は、記録手段１０５に記録される撮影モードに応じたアスペクト比設定状態と、指の係っていない非接触領域の割り出した結果から、表示部１０６に画像を表示し、撮像に至るまでの撮影制御プログラムのフローチャートである。
【００２１】
図４は、図２に記載の撮影モードに応じたアスペクト比設定がされている際の、タッチパネル操作部材１０７の検出結果に応じ、表示部１０６に撮影者の指の係っていない範囲（非接触領域１０６ａ）を割り出し、スルー画１０６ｂを表示した結果を示す図である。ここでは、図２において撮影モードが静止画に設定されている例を下記に示す。
【００２２】
図３のステップ１では、カメラマイコン１０４は、操作部材１０８の操作によって設定された撮影モード情報を取り出す。撮影モードは静止画モード、動画モードから選択できる。なお、撮影済み画像の観賞（再生）を行う際は、再生モードを選択する。ここでは、操作部材１０８によって撮影モードが静止画モードに設定されている。
【００２３】
ステップ２では、カメラマイコン１０４は、記録手段１０５に記録されている撮影モードに応じたアスペクト比設定状態を取り出す。ここでは、撮影者が静止画モードで撮影する際のアスペクト比は「１６：９」、「４：３」、「３：２」の３種類が設定されている。また、後述する表示部１０６に画像を表示できる非接触領域１０６ａの割り出し結果に応じて「４：３」、「３：２」のアスペクト比はアスペクト比反転を許可する設定となっている。
【００２４】
ステップ３では、カメラマイコン１０４は、タッチパネル操作部材１０７に撮影者の指が係っているか否かを判断する。図４の状態のように撮影者の指が係っていると判断した場合はステップ４へ進み、表示部１０６に撮影者の指が係っていないと判断した場合は優先アスペクト比に設定されている「４：３」のアスペクト比にて表示部１０５にスルー画像１０６を表示し、ステップ６へ進む。
【００２５】
ステップ４では、タッチパネル操作部材１０７が撮影者の指が係っている範囲を検出し、カメラマイコン１０４は表示部１０６に画像を表示できる非接触領域１０６ａを割り出す。
【００２６】
ステップ５では、カメラマイコン１０４は、ステップ４にて割り出された非接触領域１０６ａから、非接触領域１０６ａに記録手段１０５に記録されている選択可能なアスペクト比の中で最も広い面積で画像を表示できるアスペクト比を判断する。
【００２７】
図４において、本実施形態における表示部１０６が対角３インチの画面サイズでアスペクト比４：３の液晶ディスプレイ際、画面寸法は横幅６１ｍｍ、高さ４５．７ｍｍとなる。ここで、表示部１０６の右下部に撮影者の指が係っている際、非接触領域１０６ａは撮影者の指を避けた領域に設定される。
【００２８】
図５は図４に示す非接触領域１０６ａにアスペクト比「１６：９」、「４：３」、「３：２」、「３：４」、「２：３」の画像を表示させた際の面積を示す（アスペクト比「１６：９」はアスペクト比反転をしない設定となっているため非対象）。
【００２９】
本状態においてはアスペクト比「４：３」が最も広い面積で画像を表示できるため、本ステップではカメラマイコン１０４はアスペクト比「４：３」で表示部１０６にスルー画像１０６ｂを表示する。
【００３０】
ステップ６では、カメラマイコン１０４は撮影者による操作部材１０８のシャッターボタンの半押しスイッチ（ＳＷ１）の操作有無を判定する。シャッターボタンの半押しスイッチ（ＳＷ１）の操作があればステップ７へ進み、半押し操作がなければステップ８へ進む。
【００３１】
ステップ７では、カメラマイコン１０４の指令に基づき、レンズ駆動装置１０９を介して撮影レンズ１０２を駆動し焦点調節のための合焦動作を行う。
【００３２】
ステップ８では、カメラマイコン１０４は撮影者による撮影者による操作部材１０８のシャッターボタンの全押しスイッチ（ＳＷ２）の操作有無を判定する。シャッターボタンの全押しスイッチ（ＳＷ２）の操作があればステップ９へ進み、全押し操作がなければステップ１０へ進む。
【００３３】
ステップ９ではカメラマイコン１０４は露光動作を指令し、撮像素子１０１へ露光が行われ、所定の画像処理がカメラ信号処理回路１０３で行われた後、カメラマイコン１０４を介して不図示の記録媒体に記録される。
【００３４】
ステップ１０では、シャッターボタンの半押しスイッチ（ＳＷ１）の操作が継続されているか否かを判断し、半押しスイッチ（ＳＷ１）の操作が継続されている場合はステップ８へ戻り上述の処理を繰り返す。半押しスイッチ（ＳＷ１）の操作が中断された場合はステップ３に戻る。
【００３５】
ここで、本撮影制御プログラムにてステップ１０を設定している目的について説明する。シャッターボタンの半押しスイッチ（ＳＷ１）の操作が行われている最中に撮影者がカメラの保持状態を変えると、表示部１０６への撮影者の指の係りが変化し、非接触領域１０６ａの範囲が変わる。カメラマイコン１０４が上記変更後の非接触領域１０６ａから表示するアスペクト比を再判断し表示部１０６にスルー画１０６ｂを表示すると、撮影者の意図しない構図変化が生じてしまう恐れがある。そのため、半押しスイッチ（ＳＷ１）の操作が終了するまではタッチパネル操作部材１０７への撮影者の指係りを再判断しない処理としている。
【００３６】
なお、本実施形態ではシャッターボタンの半押しスイッチ（ＳＷ１）および全押しスイッチ（ＳＷ２）、撮影モードセレクター、コマンドダイヤルなど、カメラ１を操作するためのスイッチ類を操作部材１０８として定義している。しかし、上述の機能に関する表示を表示部１０５に表示し、タッチパネル操作部材１０７への操作によって各機能を操作してもよい。
【００３７】
以上のように、本実施形態によれば、撮影者がアスペクト比を変更するための特別な操作を必要とすることなく、指が画像表示部に係る範囲に応じて、指の係っていない領域にアスペクト比可変に画像を表示することができる。そのため、容易に画像のアスペクト比を変更することができる。
【００３８】
（第２の実施形態）
以下、図６を参照して、本発明の第２の実施形態による、再生モード時の画像表示について説明する。なお、本図中において第１の実施形態と重複する機能についての符号は共通としている。また、第１の実施形態と構成、機能が共通する内容については説明を省略する。
【００３９】
図６は、図２に記載の画像観賞時の表示部１０６への画像再生の設定がなされている際、カメラマイコン１０４がタッチパネル操作部材１０７の検出結果に応じ割り出される非接触領域１０６ａの変化に伴い、表示部１０６へ再生画面を表示する範囲を変更した結果を示した図である。
【００４０】
カメラマイコン１０４は、操作部材１０８の操作によって撮影済み画像の観賞（再生）を行う再生モードに選択されていると判断すると、タッチパネル操作部材１０７が撮影者の指が係っている範囲を検出する。そして、カメラマイコン１０４は表示部１０６に画像を表示できる非接触領域１０６ａを割り出す。カメラマイコン１０４は不図示の記録媒体に記録されている撮影済み画像を取り出し、前記非接触領域１０６ａに撮影済み画像のオリジナルのアスペクト比のままで最も広く表示できる位置へ画像を表示する。
【００４１】
図６（ａ）はアスペクト比「４：３」の動画を再生時、撮影者の指が表示部１０６の右下に係っている際の、撮影済み画像表示位置を示した図である。図６（ａ）の状態において、カメラマイコン１０４は表示部１０６に画像を表示できる非接触領域１０６ａを割り出す。その割り出し結果より、非接触領域１０６ａ内で最も広い面積で画像を表示できる領域を判断し、撮影済み画像１０６ｃを表示する。
【００４２】
図６（ｂ）は、図６（ａ）の状態から撮影者がカメラ１の保持方法を変更し、表示部１０６の左右に撮影者の指が係った際の、撮影済み画像表示位置を示した図である。図６（ｂ）の状態では、表示部１０６に撮影者の指が係っている範囲が広いため、非接触領域１０６ａは狭くなる。しかし、記録手段１０５には観賞時のアスペクト比反転表示を「しない」と設定されているため、非接触領域１０６ａの範囲内で最も広い面積で画像を表示できる領域を判断し、図６（ａ）の表示サイズよりも縮小された画像サイズにて表示を行う。
【００４３】
なお、上述した観賞時のアスペクト比反転表示を「する」と設定されている場合の画像表示例を図６（ｃ）に示す。本実施形態においては、観賞時のアスペクト比反転表示を「する」と設定されている場合は、アスペクト比「４：３」の画像の左右端をトリミングし、アスペクト比「３：４」の画像として非接触領域１０６ａの範囲内で最も広い面積で画像を表示できる領域に画像を表示する。
【００４４】
以上のように、本実施形態によれば、再生モード時においても記録手段１０５への画像観賞時の設定に応じて撮影者がアスペクト比や表示サイズを変更するための特別な操作を必要とすることなく、撮影者の指が画像表示部に係る範囲に応じて、撮影者の指が係っていない非接触領域１０６ａにアスペクト比・表示サイズ可変に画像を表示することができる。そのため、容易に再生画像のアスペクト比・表示サイズを変更することができる。
【００４５】
なお、本実施形態で観賞時のアスペクト比反転表示を「する」と設定されている場合は、アスペクト比「４：３」の画像の左右端をトリミングして表示しているが、アスペクト比「４：３」の画像を９０°回転した状態にて非接触領域１０６ａの範囲内で最も広い面積で画像を表示してもよい。
【００４６】
また、本実施形態では再生モード時におけるアスペクト比の変更手段についてのみ記載したが、撮影のための設定を変更する撮影条件変更メニューを表示部１０６に表示させ、タッチパネル１０７の操作によって操作する際にも適応できる。
【００４７】
（第３の実施形態）
以下、図７を参照して、本発明の第３の実施形態による、表示部１０６への指係り範囲が大きくなった際の画像表示について説明する。なお、本図中において第１の実施形態と重複する機能についての符号は共通としている。また、第１の実施形態と構成、機能が共通する内容については説明を省略する。
【００４８】
図７は、カメラマイコン１０４の表示部１０６に画像を表示できる非接触領域１０６ａの割り出し結果から、記録手段１０５に記録される撮影モードに応じたアスペクト比の中で最も広い面積で画像を表示している例を示している。なお、図７では図２において撮影モードが静止画に設定されている例を示す。
【００４９】
図７（ａ）において、カメラ１を保持する撮影者の指は表示部１０６の右下に係っている。タッチパネル操作部材１０７が撮影者の指が係っている範囲を検出し、カメラマイコン１０４は表示部１０６に画像を表示できる非接触領域１０６ａを割り出す。カメラマイコン１０４は図３記載の処理に従い、アスペクト比「４：３」の表示が最も広い面積にて画像を表示できると判断する。そして、カメラマイコン１０４はアスペクト比「４：３」で表示部１０６にスルー画像１０６ｂを表示する。
【００５０】
図７（ｂ）はカメラ１を保持する撮影者の指が図７（ａ）の状態より表示部１０６に係る範囲が広くなった場合を示す。カメラマイコン１０４はタッチパネル操作部材１０７の検出結果に応じ割り出される非接触領域１０６ａの変化に伴い、選択可能なアスペクト比の中で最も広い面積で画像を表示できるアスペクト比を再判断する。カメラマイコン１０４は、図７（ｂ）の状態においてはアスペクト比「２：３」（アスペクト比３：２のアスペクト比反転表示）が最も広い面積で画像を表示できると判断し、表示部１０６スルー画像１０６ｂを表示する。
【００５１】
図７（ｃ）はカメラ１を保持する撮影者の指が図７（ｂ）の状態より表示部１０６に係る範囲がさらに広くなった場合を示す。カメラマイコン１０４はタッチパネル操作部材１０７の検出結果に応じ割り出される非接触領域１０６ａの変化に伴い、選択可能なアスペクト比の中で最も広い面積で画像を表示できるアスペクト比を再判断する。カメラマイコン１０４は、図７（ｃ）の状態においてはアスペクト比「１６：９」が最も広い面積にて画像を表示できると判断する。しかしながら、本状態にて表示部１０６に表示可能なスルー画像１０６ｂの画面寸法は横幅２２．１ｍｍ、高さ１２．５ｍｍであり、面積は２７６．２５ｍｍ２である。スルー画像１０６ｂが小さくなり過ぎると、撮影者が表示部１０６を確認しながら構図を決定することが困難となる。
【００５２】
そのため、本実施形態においては、非接触領域１０６ａの面積が小さくなり、表示部１０６に可能なスルー画像１０６ｂがあらかじめ定められた閾値以下の面積となる場合は、前記閾値よりスルー画像を小さく表示しないよう設定されている。前記閾値は撮影者によって任意の数値を設定可能であり、設定された数値は記録手段１０５へ記録される。本実施形態においては、前記閾値を１０００ｍｍ２と設定されている。
【００５３】
カメラマイコン１０４は記録手段１０５に記録されている閾値より画像面積が小さくならず、また撮影者の指がスルー画像１０６ｂに係る量が最小になるアスペクト比を判別し、表示部１０６にスルー画像１０６ｂを表示する。図７（ｄ）は上記判別によって表示されたスルー画像１０６ｂを示す。スルー画像１０６ｂには撮影者の指が係っているが、指の係り量が最小となるアスペクト比にて表示されている。また、前記非接触領域１０６ａの領域外にスルー画１０６ｂを表示させることで、前記閾値以上の画像面積を確保することで、撮影者はカメラ１をしっかりと保持しながら構図可能な画像面積にて構図を取ることができる。
【００５４】
以上、上述した各実施形態によれば、撮影者の指が画像表示部に係る範囲に応じて、指の係っていない領域にアスペクト比可変に画像を表示することで、容易に画像のアスペクト比を変更することができる撮像装置を提供することができる。
【００５５】
なお、以上、本発明に関わる撮像装置に関してその具体例を詳述したが、本発明は上記実施形態に限定されるものではなく、請求項記載の範囲に示したものであればどのような形態をとることも可能である。
【符号の説明】
【００５６】
１        カメラ（カメラ筐体）
１０１    撮像素子
１０４    カメラマイコン
１０５    記録手段
１０６    表示部
１０６ａ  非接触領域
１０６ｂ  スルー画像
１０６ｃ  撮影済み画像
１０７    タッチパネル操作部材（接触検出部）
１０８    操作部材
【図１】
2019041234.tif 000003
【図２】
2019041234.tif 000004
【図３】
2019041234.tif 000005
【図４】
2019041234.tif 000006
【図５】
2019041234.tif 000007
【図６】
2019041234.tif 000008
【図７】
2019041234.tif 000009